(57)【要約】【課題】車両のアンテナ支持ブラケットに関し、アンテナと電子制御装置との接続に係る作業性を改善しつつ車両の静粛性を向上させる。【解決手段】車両１のインストルメントパネル２の内部において、インストルメントパネル２の基材であるインストルメントパネルコア６に固定され、インストルメントパネルコア６に取り付けられる電子制御装置８に接続されるアンテナ４を支持するブラケット９に関する。アンテナ４をブラケット９の上面に支持する支持部１１と、アンテナ４から延出し電子制御装置８に接続されるフィーダー線４１のコネクター４２と電子制御装置８に接続される他の複数のハーネス５１のコネクター５２とを支持部１１より車両後方側に仮止めする仮止め部２２，２３とを備える。仮止め部２２，２３は、インストルメントパネル２後面の電子制御装置８が取り付けられる取付開口７から目視可能な位置に設けられる。【選択図】図５
2020082886.tif 000002
【特許請求の範囲】
【請求項１】
車両のインストルメントパネルの内部において、前記インストルメントパネルの基材であるインストルメントパネルコアに固定され、当該インストルメントパネルコアに取り付けられる電子制御装置に接続されるアンテナを支持するブラケットであって、
前記アンテナを前記ブラケットの上面に支持する支持部と、
前記アンテナから延出し前記電子制御装置に接続されるフィーダー線のコネクターと前記電子制御装置に接続される他の複数のハーネスのコネクターとを前記支持部より車両後方側に仮止めする複数の仮止め部とを備え、
前記複数の仮止め部は、前記インストルメントパネルの後面の前記電子制御装置が取り付けられる取付開口から目視可能な位置に設けられる
ことを特徴とする車両のアンテナ支持ブラケット。
【請求項２】
前記支持部が設けられる第一面部と、前記第一面部の車両後方側で前記第一面部に対して傾斜し、前記複数の仮止め部が設けられる第二面部とを有し、
前記第一面部に対する前記第二面部の傾斜方向は、前記複数の仮止め部が前記取付開口に面するように配置される方向とされる
ことを特徴とする、請求項１記載の車両のアンテナ支持ブラケット。
【請求項３】
前記第二面部は、車幅方向一方側の部位に前記複数の仮止め部が配置され、車幅方向他方側の部位に前記ブラケットを前記インストルメントパネルコアに固定する第一固定具が挿通される第一固定孔が設けられ、
前記第二面部のうち車幅方向一方側の部位から車両前方側に延設された第三面部と、前記第三面部に穿孔され前記ブラケットを前記インストルメントパネルコアに固定する第二固定具が挿通される第二固定孔とを有する
ことを特徴とする、請求項２記載の車両のアンテナ支持ブラケット。
【請求項４】
前記第二面部が、前記インストルメントパネルコアとの間に所定の隙間を有し、
前記隙間の寸法が、前記フィーダー線のコネクターおよび前記複数のハーネスのコネクターを前記複数の仮止め部に仮止めさせたときに前記フィーダー線のコネクターおよび前記複数のハーネスのコネクターが前記第二面部から前記インストルメントパネルコアの方向に突出する寸法よりも大きな寸法に設定される
ことを特徴とする、請求項２または３記載の車両のアンテナ支持ブラケット。
【請求項５】
前記ブラケットは、前記第一面部が形成された第一ブラケットと、前記第二面部が形成された第二ブラケットとを備える
ことを特徴とする、請求項２〜４のいずれか１項に記載の車両のアンテナ支持ブラケット。
【請求項６】
前記第一ブラケットが金属または導電性繊維を含む樹脂製であり、前記第二ブラケットが前記第一ブラケットよりも軽量かつ軟質なプラスチック製である
ことを特徴とする、請求項５記載の車両のアンテナ支持ブラケット。
【請求項７】
前記第一ブラケットが、前記第一面部に対して傾斜して設けられるとともに前記第二ブラケットに固定される第一固定面部を有し、
前記第二ブラケットが、前記第二面部に対して段差が生じるように設けられるとともに前記第一固定面部に固定される第二固定面部を有する
ことを特徴とする、請求項５または６記載の車両のアンテナ支持ブラケット。
【請求項８】
前記第二固定面部が、前記第一固定面部に向かって突設される位置決めピンと前記第一固定面部側からビス止めされるビス受け孔とを有し、
前記第一固定面部が、前記位置決めピンと嵌合する位置決め孔と前記ビス止め孔にビス止めされるビスが挿通されるビス孔とを有する
ことを特徴とする、請求項７記載の車両のアンテナ支持ブラケット。
【請求項９】
前記複数の仮止め部は、前記フィーダー線のコネクターを仮止めする第一仮止め部と前記他の複数のハーネスのコネクターを仮止めする複数の第二仮止め部とで構成され、
前記第一仮止め部と前記第二仮止め部は、車幅方向に並べて配置され、
前記アンテナを基準とした前記フィーダー線の延出方向が、前記複数の前記第二仮止め部の平均中心位置を基準とした前記第一仮止め部の配置方向に対応する
ことを特徴とする、請求項１〜８のいずれか一項に記載の車両のアンテナ支持ブラケット。
【請求項１０】
前記複数の仮止め部は、千鳥状に配置される
ことを特徴とする、請求項１〜９のいずれか一項に記載の車両のアンテナ支持ブラケット。
【発明の詳細な説明】
【技術分野】
【０００１】
本発明は、車両のインストルメントパネルコアに固定されるアンテナ支持ブラケットに関する。
【背景技術】
【０００２】
近年、情報通信技術（IT，Information Technology）を基盤とした第四次産業革命への戦略がさまざまな産業界で議論されている。自動車産業界における関心の的は、車両外部のネットワークに常時接続された情報通信端末の一つとして機能するコネクテッドカーである。コネクテッドカーは、自動運転，自動ブレーキといった運転支援システムや、走行履歴の分析システム，緊急通報システム，盗難管理システム，カーシェアリングシステム，メンテナンス支援システムなど、多様な分野で幅広く活用できるものと期待されている。
【０００３】
車両と車両外部との情報交換は、アンテナを介した無線通信によって実現される。車両に搭載されるアンテナの種類としては、移動電話用アンテナ，車両間通信アンテナ，路車間通信アンテナ，GPS（Global Positioning System）アンテナ，ETC（Electronic Toll Collection）アンテナ，電子キー用アンテナなどが知られている。これらのアンテナは、ルーフやインストルメントパネル（インパネ）の内部などに配置される（特許文献１，２参照）。
【先行技術文献】
【特許文献】
【０００４】
【特許文献１】特開2018-101956号公報
【特許文献２】特開2011-130115号公報
【発明の概要】
【発明が解決しようとする課題】
【０００５】
アンテナで受信された信号は、カーナビゲーション装置やオーディオビジュアル装置といった車載の電子制御装置に入力され、その信号に基づく音声情報や視覚情報が乗員に提供される。一方、車両のグレードや仕向け先によってはアンテナのみが標準装備され、電子制御装置が非搭載（オプション扱い）になることがある。この場合、アンテナフィーダー線のコネクターが未固定の状態でインパネ内に収容されることから、コネクターとインパネとの接触による騒音や振動が走行中に発生することがあり、車両の静粛性や乗り心地が低下してしまう。
【０００６】
また、アンテナのみが標準装備された車両のユーザーが、自分で電子制御装置を取り付けるときには、インパネ内に収容されたコネクターを探り出して電子制御装置に接続する必要がある。しかし、インパネの内部には多数の配線材やワイヤーハーネスが配索されているため、目的のコネクターを特定することが難しく、取り付け作業に手間取ることがある。また、たとえ目的のコネクターを特定できたとしても、他の配線材との絡み合いにより引き出すことが難しく、取り付け作業が難航する場合がある。
【０００７】
本件の目的の一つは、上記のような課題に鑑みて創案されたものであり、車両のインストルメントパネル内に配置されるアンテナと電子制御装置との接続に係る作業性を改善しつつ車両の静粛性を向上させることができるようにした車両のアンテナ支持ブラケットを提供することである。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００８】
（１）車両のアンテナ支持ブラケットは、車両のインストルメントパネルの内部において、前記インストルメントパネルの基材であるインストルメントパネルコアに固定され、当該インストルメントパネルコアに取り付けられる電子制御装置に接続されるアンテナを支持するブラケットであって、前記アンテナを前記ブラケットの上面に支持する支持部と、前記アンテナから延出し前記電子制御装置に接続されるフィーダー線のコネクターと前記電子制御装置に接続される他の複数のハーネスのコネクターとを前記支持部より車両後方側に仮止めする複数の仮止め部とを備え、前記複数の仮止め部は、前記インストルメントパネルの後面の前記電子制御装置が取り付けられる取付開口から目視可能な位置に設けられる。
【０００９】
（２）前記支持部が設けられる第一面部と、前記第一面部の車両後方側で前記第一面部に対して傾斜し、前記複数の仮止め部が設けられる第二面部とを有し、前記第一面部に対する前記第二面部の傾斜方向は、前記複数の仮止め部が前記取付開口に面するように配置される方向とされることが好ましい。
【００１０】
（３）前記第二面部は、車幅方向一方側の部位に前記複数の仮止め部が配置され、車幅方向他方側の部位に前記ブラケットを前記インストルメントパネルコアに固定する第一固定具が挿通される第一固定孔が設けられ、前記第二面部のうち車幅方向一方側の部位から車両前方側に延設された第三面部と、前記第三面部に穿孔され前記ブラケットを前記インストルメントパネルコアに固定する第二固定具が挿通される第二固定孔とを有することが好ましい。
【００１１】
（４）前記第二面部が、前記インストルメントパネルコアとの間に所定の隙間を有し、前記隙間の寸法が、前記フィーダー線のコネクターおよび前記複数のハーネスのコネクターを前記複数の仮止め部に仮止めさせたときに前記フィーダー線のコネクターおよび前記複数のハーネスのコネクターが前記第二面部から前記インストルメントパネルコアの方向に突出する寸法よりも大きな寸法に設定されることが好ましい。
【００１２】
（５）前記ブラケットは、前記第一面部が形成された第一ブラケットと、前記第二面部が形成された第二ブラケットとを備えることが好ましい。
（６）前記第一ブラケットが金属または導電性繊維を含む樹脂製であり、前記第二ブラケットが前記第一ブラケットよりも軽量かつ軟質なプラスチック製であることが好ましい。
【００１３】
（７）前記第一ブラケットが、前記第一面部に対して傾斜して設けられるとともに前記第二ブラケットに固定される第一固定面部を有し、前記第二ブラケットが、前記第二面部に対して段差が生じるように設けられるとともに前記第一固定面部に固定される第二固定面部を有することが好ましい。
【００１４】
（８）前記第二固定面部が、前記第一固定面部に向かって突設される位置決めピンと前記第一固定面部側からビス止めされるビス受け孔とを有し、前記第一固定面部が、前記位置決めピンと嵌合する位置決め孔と前記ビス止め孔にビス止めされるビスが挿通されるビス孔とを有することが好ましい。
【００１５】
（９）前記複数の仮止め部は、前記フィーダー線のコネクターを仮止めする第一仮止め部と前記他の複数のハーネスのコネクターを仮止めする複数の第二仮止め部とで構成され、前記第一仮止め部と前記第二仮止め部は、車幅方向に並べて配置され、前記アンテナを基準とした前記フィーダー線の延出方向が、前記複数の前記第二仮止め部の平均中心位置を基準とした前記第一仮止め部の配置方向に対応することが好ましい。
【００１６】
（１０）前記複数の仮止め部は、千鳥状に配置されることが好ましい。
【発明の効果】
【００１７】
アンテナを固定するためのブラケットにコネクターを仮保持するための仮止め部を設け、その仮止め部を取付開口から目視可能な位置に配置することで、電子制御装置をインストルメントパネルコアに後付けする場合であっても容易に第一コネクターを電子制御装置に接続することができ、アンテナ接続の作業性を改善することができる。また、コネクターがブラケットに仮保持されるため、コネクターとインパネとの接触による騒音や振動の発生を防ぐことができ、車両の静粛性や乗り心地を向上させることができる。
【図面の簡単な説明】
【００１８】
【図１】実施形態のアンテナ支持ブラケットが適用された車両の斜視図である。
【図２】車両のインパネの内部を示す断面図である。
【図３】ブラケットの斜視図（上側）である。
【図４】ブラケットの斜視図（下側）である。
【図５】ブラケットの分解斜視図（上側）である。
【図６】ブラケットの分解斜視図（下側）である。
【図７】ブラケットの見上げ図である。
【図８】ブラケットの断面図である。
【発明を実施するための形態】
【００１９】
［１．構成］
図１〜図８を参照して、実施形態としてのアンテナ支持ブラケットの構造を説明する。図中の方向（前後左右上下）は、車両１の進行方向を基準とした方向（車両１の運転手から見たときの前後，左右，上下の方向）を表す。
図１は、実施形態としてのアンテナ支持ブラケット９が適用された車両１の斜視図である。車両１の車室内には、計器，スイッチ類，空調装置，オーディオビジュアル装置，カーナビゲーション装置などが取り付けられるインパネ２（インストルメントパネル）が設けられる。
【００２０】
インパネ２は、その主材（基材）であるインパネコア６（インストルメントパネルコア）の表面に、ウレタンフォーム，表皮部材，装飾品などを貼り付けた構造を持つ。インパネコア６の組成は、例えばABS樹脂（アクリロニトリル・ブタジエン・スチレン共重合熱可塑性樹脂）やポリプロピレンなどの合成樹脂であり、車両１の無線通信に係る電磁波（電波）を透過させる特性を持つ。
【００２１】
インパネコア６には、第一アンテナ４を固定するためのブラケット９（アンテナ支持ブラケット）が取り付けられる。ブラケット９は、インパネ２の内部（インパネ２の上面よりも下方）において、インパネコア６に固定される。図２に示すように、ブラケット９はインパネ２の上面の裏側に取り付けられる。また、第一アンテナ４は、ブラケット９の上面に固定される。第一アンテナ４の形状は上面視でほぼ正方形の扁平形状であり、その頂面がほぼ水平となるように設置される。これにより、受信性能（スカイビュー）が確保される。
【００２２】
第一アンテナ４の位置は、車両１のフロントガラス３やインパネ２の上面を透過した電磁波が届く位置に設定され、例えばフロントガラス３の直下となる範囲内に配置される。また、第一アンテナ４の車幅方向の位置は、中央部付近に設定される。第一アンテナ４の種類は不問であり、例えば移動電話用アンテナ，車両間通信アンテナ，路車間通信アンテナ，ETCアンテナ，電子キー用アンテナなどが適用されうる。本実施形態の第一アンテナ４はGPSアンテナであり、測位衛星から発せられる測位信号を受信するのに用いられる。
【００２３】
また、この車両１には、第一アンテナ４とは異なる電磁波を受信する第二アンテナ５が設けられる。第二アンテナ５は、例えばフロントガラス３やルーフなどに固定される。図２に示す第二アンテナ５は、地上波デジタルテレビ放送用の車載チューナー装置（例えば４チューナー４アンテナ型のフルセグ地デジチューナー）に接続されるDTVアンテナであり、独立した複数本のアンテナ線を有する。本実施形態の第二アンテナ５は、図２に示すように、フロントガラス３の内側（車室側）に貼付される。また、それぞれの第二アンテナ５から延出される第二フィーダー線５１は、フロントガラスの縁部やフロントピラーに沿ってインパネ２の内部まで配索される。
【００２４】
第一アンテナ４から延出される第一フィーダー線４１には、第一コネクター４２が設けられる。第一コネクター４２は、インパネコア６に装着される電子制御装置８と第一フィーダー線４１とを接続するための部品であり、第一フィーダー線４１の末端に配置される。同様に、第二アンテナ５から延出される複数の第二フィーダー線５１には、第二コネクター５２が設けられる。第二コネクター５２は、電子制御装置８と第二フィーダー線５１とを接続するための部品であり、それぞれの第二フィーダー線５１の末端に配置される。
【００２５】
電子制御装置８とは、例えば車載のオーディオビジュアル装置やカーナビゲーション装置，マルチメディア装置などであり、第一アンテナ４や第二アンテナ５で受信した信号に基づく音声情報や視覚情報を乗員に提供する機能を持つ。図２に示すように、インパネ２の車室側には、電子制御装置８が装着される取付部７（取付開口部，取付開口）が設けられる。取付部７の位置は、車室前方における車幅方向の中央部付近であって、ブラケット９から見て車両１の後方側に設定される。
【００２６】
ブラケット９には、第一仮止め部２２と第二仮止め部２３とが設けられる。これらの仮止め部２２，２３、第一コネクター４２と第二コネクター５２とを後述する第一面部１１（支持部）より車両後方側（後述する第一フィーダー線４１及び第二フィーダー線５１が纏まった位置）に仮止めする役割を担い、インパネ２の後面の電子制御装置８が取り付けられる取付開口７から目視可能な位置に設けられる。また、これらの第一仮止め部２２及び第二仮止め部２３は、車幅方向に所定の間隔をあけて隣接するように、車幅方向に並んで配置される。
【００２７】
第一仮止め部２２は、電子制御装置８が取付部７に装着されていないときに、第一コネクター４２を仮止めするための部位であり、第一コネクター４２を保持する機能を持つ。同様に、第二仮止め部２３は、電子制御装置８が取付部７に装着されていないときに、第二コネクター５２を仮止めするための部位であり、第二コネクター５２を保持する機能を持つ。これにより、電子制御装置８が装着されていないときに、第一コネクター４２や第二コネクター５２を車室内から目視で確認できる位置に仮止めすることが可能となる。
【００２８】
図３〜図６に示すように、ブラケット９は、第一ブラケット１０と第二ブラケット２０とに分解可能とされる。第一ブラケット１０は、第一アンテナ４が固定される部材であり、第二ブラケット２０は少なくとも第一仮止め部２２が設けられる部材である。第一ブラケット１０の組成は、例えば金属や導電性繊維を含む硬質樹脂（電磁波シールド樹脂）とすることが好ましい。これにより、第一ブラケット１０に固定される第一アンテナ４が下方から電磁ノイズの影響を受けにくくなり、EMC（Electro-Magnetic Compatibility）性能が向上する。一方、第二ブラケット２０の組成は、金属や電磁波シールド樹脂よりも軽量かつ軟質なプラスチック（合成樹脂）とすることが好ましい。これにより、第一仮止め部２２に仮止めされる第一コネクター４２の破損やキズなどの発生が防止される。
【００２９】
本実施形態の第一ブラケット１０には、第一面部１１，第一固定面部１２，位置決め孔１３，ビス孔１４，延長面部１５，クリップ孔１６が設けられる。第一面部１１は、第一アンテナ４が固定される平面状の部位である。換言すれば、第一面部１１には第一アンテナ４が支持される部位である支持部が設けられる。第一アンテナ４は、第一面部１１の上面に対して、両面テープや接着剤などで貼着固定される。一方、第一固定面部１２は、第一面部１１に対して傾斜して設けられた平面状の部位であり、第二ブラケット２０に固定される部位である。
【００３０】
第一固定面部１２の傾斜角度は、後述する第二ブラケット２０の傾斜角度に対応するように設定される。金属や硬質樹脂で形成される第一ブラケット１０の第一面部１１と第一固定面部１２との間に傾斜を設けることで、屈曲箇所の剛性が確保されやすくなる。なお、第一面部１１の縁端の一部には、剛性を高めるためのフランジ加工が施される。本実施形態では、第一面部１１と第一固定面部１２との境界をなす屈曲部分の剛性を確保するために、第一ブラケット１０の右端辺全体と第一固定面部１２の左端辺とにフランジが設けられている。
【００３１】
図５に示すように、第一固定面部１２には、位置決め孔１３とビス孔１４とが形成される。位置決め孔１３は、第一ブラケット１０の位置決めに用いられる部位であり、第二ブラケット２０に対する第一ブラケット１０の相対位置が適切であるときに、後述する位置決めピン２５と嵌合する位置に設けられる。位置決め孔１３の数は少なくとも二つ以上とする。本実施形態の位置決め孔１３は二個であり、左右方向（車幅方向）に所定の間隔をあけて配置されている。
【００３２】
ビス孔１４は、第二ブラケット２０に対する第一ブラケット１０の相対位置が適切であるときに、後述するビス受け孔２６に重なる位置に設けられる。ビス孔１４の数も少なくとも二つ以上とする。本実施形態のビス孔１４は二個であり、左右方向（車幅方向）に所定の間隔をあけて配置されている。ビス孔１４の間隔は位置決め孔１３の間隔よりも大きく設定されており、これにより位置決め精度が確保されている。なお、ビス孔１４の径は、第一ブラケット１０と第二ブラケット２０とを固定するためのビス３１と同径か、やや大径に設定される。
【００３３】
延長面部１５は、第一アンテナ４が取り付けられる位置を基準として第一面部１１を第一フィーダー線４１の延出方向に延長した部位である。延長面部１５には、第一フィーダー線４１に装着されたクリップ４３が挿入されるクリップ孔１６が穿孔される。クリップ孔１６にクリップ４３を係止させることで、第一フィーダー線４１の配索方向が第一アンテナ４から左方向のみに制限される。
【００３４】
第二ブラケット２０には、第二面部２１，第一仮止め部２２，第二仮止め部２３，第二固定面部２４，位置決めピン２５，ビス受け孔２６，第三面部２７，第一固定孔２８，第二固定孔２９が設けられる。第二面部２１は、少なくとも第一仮止め部２２が設けられ、好ましくは第一仮止め部２２と第二仮止め部２３とが設けられる平面状の部位である。第二面部２１は、ここに仮止めされる第一コネクター４２や第二コネクター５２が車室側から視認されやすくするために、第一面部１１に対して傾斜して設けられる。なお、第一仮止め部２２に仮止めされる第一コネクター４２の差し込み方向は、下から上へ向かう方向、かつ、後方から前方へ向かう方向である。第二仮止め部２３に仮止めされる第二コネクター５２の差し込み方向も同様である。
【００３５】
第二面部２１は、インパネコア６との間に所定の隙間を有する。この隙間は、図８に示すように、第一コネクター４２を第一仮止め部２２に嵌合させたときに、第一コネクター４２が第二面部２１からインパネコア６の方向に突出する寸法（突出寸法X）よりも大きな寸法であって、第二コネクター５２の突出寸法よりも大きな寸法に設定される。第二面部２１とインパネコア６との間の隙間は、仮保持された第一コネクター４２，第二コネクター５２の配置スペースとして利用される。
【００３６】
第一仮止め部２２は、第二仮止め部２３よりも第一フィーダー線４１の延出方向に配置される。図５に示すように、複数の第二仮止め部２３の平均中心位置を基準とした第一仮止め部２２の配置方向は、第一アンテナ４を基準とした第一フィーダー線４１の延出方向に対応するように設定される。これにより、第一フィーダー線４１を第二フィーダー線５１と交差させずに短い距離で整然と配索することが容易となり、フィーダー線４１，５１同士の干渉によるノイズの発生が防止される。
【００３７】
第二仮止め部２３及び第二コネクター５２には、外れ止め用のメカニカルロック機構が設けられている。例えば、第二仮止め部２３の縁部から第二コネクター５２が差し込まれる部分に向かって突起が設けられる。一方、第二コネクター５２には第二仮止め部２３の突起と弾性的に係合する係止爪５３が設けられる。第二コネクター５２を第二仮止め部２３に差し込むことで、突起と係止爪５３とが自動的に係合し、不用意な脱離が防止される。また、係止爪５３を指で摘まむことで突起と係止爪５３との係合が外れ、そのまま第二コネクター５２を引き抜くことができるようになっている。
【００３８】
また、第二仮止め部２３は、第二コネクター５２の係止爪５３を摘むときに指が入りやすくなるように、千鳥状に配置される。第二仮止め部２３のレイアウトは、それぞれの第二コネクター５２の係止爪５３が他の第二コネクター５２に対向しないように設定される。好ましくは、係止爪５３と他の第二コネクター５２との間が、少なくとも指が楽に入る程度の所定距離以上は離隔するように、それぞれの第二コネクター５２が配置される。図７に示す第二コネクター５２は、各々の係止爪５３が後端部に位置する向きで、前後方向に重ならないように配置されている。複数の第二コネクター５２を千鳥配置にすることで、第二コネクター５２の着脱に係る作業性を向上させつつ、第二ブラケット２０の車幅方向の寸法を小さくすることができる。
【００３９】
本実施形態では第二仮止め部２３だけでなく、第一仮止め部２２を含む仮止め部２２，２３の全体が千鳥状に配置される。これにより、第一コネクター４２及び第二コネクター５２の着脱に係る作業性を向上させつつ、第二ブラケット２０の車幅方向の寸法を削減している。なお、第一仮止め部２２が複数設けられる場合（例えば、第一フィーダー線４１が複数本存在する場合）においても同様であり、複数の第一仮止め部２２を千鳥状に配置してもよいし、すべての第一仮止め部２２及び第二仮止め部２３を遍く千鳥状に配置してもよい。
【００４０】
第二固定面部２４は、第一ブラケット１０の第一固定面部１２に固定される平面状の部位である。図６，図８に示すように、第二固定面部２４は、第二面部２１に対して段差が生じるように設けられる。第二固定面部２４は、第二面部２１よりも第一コネクター４２，第二コネクター５２の差し込み方向側において、第二面部２１とほぼ平行に配置される。第二面部２１と第二固定面部２４との間に段差を設けることで、第一仮止め部２２，第二仮止め部２３に仮止めされる第一コネクター４２，第二コネクター５２の差し込み代が確保される。なお、段差の寸法は、第二固定面部２４の延長面に第一コネクター４２，第二コネクター５２の先端が接触しない程度の大きさに設定される。
【００４１】
第二固定面部２４には、位置決めピン２５とビス受け孔２６と第一固定孔２８とが設けられる。位置決めピン２５は、図６に示すように、第一ブラケット１０の第一固定面部１２に向かって軸状に突設される。一方、ビス受け孔２６は、図５に示すように、第一固定面部１２とは反対側に向かって中空円筒状に突設される。ビス受け孔２６の内部には、第一ブラケット１０と第二ブラケット２０とを固定するためのビス３１のネジ山と螺合するネジ溝が刻設される。第一固定面部１２と第二固定面部２４とを重ね合わせた状態で、ビス孔１４よりも下方から上方のビス受け孔２６に向かってビス３１を螺合させる（あるいは、ねじ込む）ことで、第一ブラケット１０と第二ブラケット２０とが一体化される。第一固定孔２８は、ブラケット９をインパネコア６に固定するための孔のひとつであり、ボルトやスクリューなどの第一固定具３２が挿通される。
【００４２】
第二ブラケット２０の第三面部２７には、第二固定孔２９が設けられる。第二固定孔２９には、ボルトやスクリューなどの第二固定具３３が挿通される。ここで図３に示すように、第二面部２１に沿った平面内において、第一仮止め部２２から第一面部へ向かう方向のことを「アンテナ配置方向」と定義する。第三面部２７は、第二面部２１のうち、第二仮止め部２３が配置される部位からアンテナ配置方向へと延設された部位である。第二仮止め部２３よりもアンテナ配置方向に位置する第三面部２７に第二固定孔２９を設けることで、第二ブラケット２０の車幅方向の寸法が小さくなり、ブラケット９のコンパクト化が容易となる。また、第二固定孔２９を第二仮止め部２３よりも右側に配置した場合と比較して、第二固定孔２９と第一アンテナ４との距離が縮まることから、ブラケット９の剛性や取り付け状態の安定性が向上する。
【００４３】
図７に示すように、第一固定孔２８（第一固定具３２）と第二固定孔２９（第二固定具３３）の位置は、ブラケット９をその下方から見上げたときに、第一アンテナ４の右側方と第一アンテナ４の後方との二箇所に設定され、かつ、第一アンテナ４に対する距離がほぼ同一となる位置に設定される。また、第一固定具３２および第二固定具３３が固定されるインパネコア６の座面３４は、図８に示すように、インパネ２の上面の裏側から下方に向かって突設される。二つの座面３４は、第二ブラケット２０の第二面部２１を基準とした高さ，左右方向位置，前後方向位置のすべてが相違するように配置される。例えば、第二面部２１を基準とした高さについて、二つの座面３４のうち前方に位置する一方が、後方に位置する他方よりも高い位置に配置される。これにより、インパネ２の上面に近い位置でブラケット９を固定することができ、取り付け状態の安定性が向上する。
【００４４】
［２．作用，効果］
（１）本実施形態では、ブラケット９に第一アンテナ４が固定されるとともに、コネクター４２，５２を仮止めする仮止め部２２，２３がブラケット９に形成される。仮止め部２２，２３は、取付部７から目視可能な位置に設けられる。このような構造により、電子制御装置８をインパネコア６に後付けするような場合であっても、容易にコネクター４２，５２（第一アンテナ４の第一フィーダー線４１や第二アンテナ５の第二フィーダー線５１）を電子制御装置８に接続することができ、アンテナ接続作業の作業性や利便性を改善することができる。また、電子制御装置８のない状態であってもコネクター４２，５２が仮止め部２２，２３に仮止めされることから、コネクター４２，５２とインパネコア６との接触による騒音や振動を防止することができ、車両の静粛性や乗り心地を向上させることができる。
【００４５】
（２）本実施形態では、仮止め部２２，２３が形成される第二面部２１が、第一面部１１に対して傾斜して配置される。第二面部２１の傾斜方向は、仮止め部２２，２３に保持されたコネクター４２，５２が電子制御装置８の装着位置に面するように配置される方向とされる。これにより、電子制御装置８が未装着のときにコネクター４２，５２の仮止め状態を目視で確認しやすくすることができ、作業性，利便性をさらに改善することができる。
【００４６】
なお、複数のチューナーを内蔵した地上波デジタルテレビ放送用の車載チューナー装置には複数のアンテナを接続する必要があり、セットアップ作業が煩雑となりやすい。一方、本実施形態では、四本の第二フィーダー線５１に設けられた第二コネクター５２のすべてが四つの第二仮止め部２３に仮止めされるため、ユーザーが手軽にアンテナ接続作業を実施できるようになり、電子制御装置８の交換やカスタマイズが容易となる。
【００４７】
（３）本実施形態では、第二仮止め部２３が配置されている部位の車幅方向の反対側の部位に第一固定孔２８が設けられ、第二仮止め部２３が配置されている部位からアンテナ配置方向へと第三面部２７が延設され、この第三面部２７に第二固定孔２９が設けられる。このように、第三面部２７を第二面部２１から車両前方側に延ばすことで、第二ブラケット２０の車幅方向の寸法を小さくすることができ、ブラケット９を容易にコンパクト化することができる。また、第一固定具３２が固定される位置（第一固定孔２８）と第二固定具３３が固定される位置（第二固定孔２９）との距離を車両前後方向に大きくすることができるので、アンテナ４の支持部が設けられる第一面部１１から第二面部２１に荷重が作用したときに、第一固定具３２および第二固定具３３に作用する荷重を減少させることができる。また、荷重が車両前後方向に分散されやすくなることから、第一面部１１と第二面部との間の屈曲箇所における変形を抑制することができる。これにより、ブラケット９の取り付け状態の安定性を向上させることができる。
【００４８】
（４）本実施形態では、第二面部２１とインパネコア６との間に第一コネクター４２の突出寸法Xよりも大きな隙間が確保される。これにより、仮保持された第一コネクター４２，第二コネクター５２とインパネコア６との接触を防止することができ、第一コネクター４２，第二コネクター５２の変形や破損，キズなどの発生を防止することができる。
【００４９】
（５）本実施形態では、ブラケット９が第一ブラケット１０と第二ブラケット２０とに二分割される。これにより、ブラケット９の下方や周囲に配置される空調用ダクトを取り外すことなく、第一ブラケット１０を着脱することが可能となり、メンテナンス性を向上させることができる。なお、車両１の製造過程において、第二ブラケット２０を先にインパネコア６に取り付けておけば、その後に固定される第一ブラケット１０と空調用ダクトとの艤装順序は不問となる。このように、ブラケット９を二分割にすることで組付け作業性を改善することができる。また、第一アンテナ４が固定される部材と第一コネクター４２が仮止めされる部材とを別の材料で製造することが可能となる。
【００５０】
（６）本実施形態では、第一ブラケット１０が金属または導電性繊維を含む硬質樹脂製とされる。これにより、第一ブラケット１０よりも下方に配置されるワイヤーハーネスや各種配線材から放射される電磁ノイズをカットすることができ、第一アンテナ４のEMC性能を向上させることができる。一方、第二ブラケット２０は、第一ブラケット１０の軽量かつ軟質なプラスチック製（すなわち、第一ブラケット１０の組成物よりも比重が軽く硬度が低い合成樹脂）とされる。これにより、第一仮止め部２２に仮止めされる第一コネクター４２の破損やキズなどの発生を防止することができる。
【００５１】
（７）本実施形態では、第一ブラケット１０の第一固定面部１２と第二ブラケット２０の第二固定面部２４とが重ね合わされて固定される。また、第二固定面部２４は、図８に示すように、第二面部２１に対して段差が生じるように設けられる。このような構造により、第二面部２１をインパネコア６に接近させて取り付け安定性を向上させつつ、インパネコア６と第二面部２１との間に隙間を設けることができ、第一コネクター４２，第二コネクター５２の差し込み代を確保することができる。
【００５２】
（８）本実施形態では、第二固定面部２４に位置決めピン２５とビス受け孔２６とが設けられる。これに対応して、第一固定面部１２には、位置決め孔１３とビス孔１４とが設けられる。図８に示すように、位置決めピン２５の突設方向は上から下へ向かう方向であるのに対し、ビス受け孔２６の突設方向は下から上へ向かう方向である。このように、位置決めピン２５の差し込み方向とビス止め方向とを逆にすることで、第一ブラケット１０と第二ブラケット２０との固定状態をより安定させることができる。
【００５３】
（９）本実施形態では、第一フィーダー線４１の延出方向が第一仮止め部２２の配置方向と同じ方向になっている。これにより、図７に示すように、第一フィーダー線４１の配索領域（左側）と第二フィーダー線５１の配索領域（右側）とを整然と分離することができ、第一フィーダー線４１と第二フィーダー線５１との交差や接触，絡まりを生じにくくすることができる。したがって、フィーダー線４１，５１同士の干渉によるノイズの発生を防止することができる。
【００５４】
なお、本実施形態では、延長面部１５が第一面部１１から第一フィーダー線４１の延出方向に延設され、その延長面部１５にクリップ孔１６が設けられる。これにより、第一フィーダー線４１の配索位置を精度よく設定，制限することができ、車体振動による第一フィーダー線４１の位置ズレや乱れを防止することができる。また、第一アンテナ４の近傍で第一フィーダー線４１が固定されることから、第一アンテナ４と第一フィーダー線４１との結合部に集中しやすい負荷を軽減することができ、第一フィーダー線４１の切断や破損を予防することができる。
【００５５】
（１０）本実施形態では、図３〜図７に示すように、第二仮止め部２３が千鳥状に配置される。それぞれの第二コネクター５２の係止爪５３は、他の第二コネクター５２に対向しない位置に配置される。これにより、係止爪５３を指で摘まむスペースが確保され、第二コネクター５２の着脱に係る操作性を向上させることができる。また、複数の第二コネクター５２を単に車幅方向に並べただけのレイアウトと比較して、同様の操作性を確保しつつ、第二ブラケット２０の車幅方向の寸法を小さくすることができる。
【００５６】
［３．変形例］
上記の実施形態はあくまでも例示に過ぎず、本実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００５７】
上述の実施形態では、ブラケット９が第一ブラケット１０と第二ブラケット２０との二部材から構成されているが、これらを一体化して一部材とすることも考えられる。この場合、電磁ノイズの遮断性を重視するならば金属や導電性繊維を含む硬質樹脂で製造すればよいし、加工性や第一コネクター４２の破損防止を重視するならば軽量，軟質なプラスチックで製造すればよい。少なくとも、第一アンテナ４が固定されるブラケット９に第一コネクター４２が保持される第一仮止め部２２を設けることで、アンテナ接続作業の作業性や利便性を改善しつつ、車両の静粛性や乗り心地を向上させることができる。
【００５８】
上述の実施形態では、第二面部２１が第一面部１１に対して傾斜した構造を例示したが、傾斜は必須の要素ではない。例えば、第一仮止め部２２に保持された第一コネクター４２が電子制御装置８の装着位置に面するようなレイアウトになっている場合には、あえて第二面部２１を傾斜させる必要はない。また、上述の実施形態では、第二アンテナ５に繋がる第二コネクター５２が第二仮止め部２３に仮保持されるようになっているが、例えば第二アンテナ５のない車両１においては、第二仮止め部２３は不要である。
【００５９】
上述の実施形態の第二コネクター５２が設けられる第二フィーダー線５１は、第一アンテナ４とは異なる電磁波を受信する第二アンテナ５と電子制御装置８とを接続するものとなっている。一方、電子制御装置８に接続されるのは第二アンテナ５に限定されず、車両１の周辺を撮影するカメラやリアモニターなどであってもよい。つまり、第二フィーダー線５１がカメラ，リアモニターなどから延びる配線材（信号線）であってもよい。
【符号の説明】
【００６０】
１  車両
２  インパネ
３  フロントガラス
４  第一アンテナ
５  第二アンテナ
６  インパネコア
７  取付部（取付開口）
８  電子制御装置
９  ブラケット
１０  第一ブラケット
１１  第一面部（支持部）
１２  第一固定面部
１３  位置決め孔
１４  ビス孔
１５  延長面部
１６  クリップ孔
２０  第二ブラケット
２１  第二面部
２２  第一仮止め部（仮止め部）
２３  第二仮止め部（仮止め部）
２４  第二固定面部
２５  位置決めピン
２６  ビス受け孔
２７  第三面部
２８  第一固定孔
２９  第二固定孔
３１  ビス
３２  第一固定具
３３  第二固定具
３４  座面
４１  第一フィーダー線（フィーダー線）
４２  第一コネクター（フィーダー線のコネクター）
４３  クリップ
５１  第二フィーダー線（ハーネス）
５２  第二コネクター（他の複数のハーネスのコネクター）
５３  係止爪
【図１】
2020082886.tif 000003
【図２】
2020082886.tif 000004
【図３】
2020082886.tif 000005
【図４】
2020082886.tif 000006
【図５】
2020082886.tif 000007
【図６】
2020082886.tif 000008
【図７】
2020082886.tif 000009
【図８】
2020082886.tif 000010